(57)【要約】  磁力流量計測装置及び方法が腐食性のフローストリームの測定のために開示されている。装置は単一ボディ構造を利用し、流導管は金属の外部ハウジングに頼ることなく防護性で非導電性の材料から全体を作られている。フローストリームと接触している電極の部分は、腐食性媒体に耐性である適切な導電性ポリマ材料から作られる。電極は同様にシールドを特徴とし、電極アッセンブリ中に設置されることでバックグラウンドの電気ノイズを減少させる。また、発明は電気的な形態を利用し、それは電極保護回路（ケーブルを有する電極）を積極的に用いることで、動電力のより正確な測定を提供する。
2008530529.tif 000002
【特許請求の範囲】
【請求項１】
ハウジングと、
一組の磁極と、
一組の電気的に保護された電極と、
を有する磁力流量計であって、ハウジングはその中を通るよう形成されている導管を有し、前記導管は流れ軸を有し、
磁極は前記導管の両側に直径方向に対向するように配置されており、前記一組の磁極は前記流れ軸とほぼ交差する第一の横軸上に一列に並んでおり、
電極は前記導管の両側に直径方向に対向するように配置されており、前記電極は前記導管と連通し、前記第一の横軸及び前記流れ軸の両方とほぼ交差する第二の横軸を形成し、
前記保護された電極のそれぞれは長手軸を有するとともに、中心導電材、管状導電材及び保護材を含み、それらは少なくとも一つの導電性材料から作られており、且つ前記中心導電材が前記長手軸上に配置され、前記管状導電材が前記中心導電材及び保護材の間に配置されるようにほぼ同心上に配置され、
中心導電材及び管状導電材が第一の間質防護材によって分離されており、
前記中央導電材及び前記管状導電材が単一のシグナル増幅器に連結されるようになっており、前記シールド材が電気接地に連結されるようになっている磁力流量計。
【請求項２】
前記シグナル増幅器が変換インプット、非変換インプット及びアウトプットを有する増幅器を有し、
前記中央導電材及び前記管状導電材が、前記増幅器の前記変換インプットと前記非変換インプットとにそれぞれ接続されており、
前記変換インプットが前記増幅器のアウトプットに電気的に接続されている請求項１に記載の磁力流量計。
【請求項３】
前記中心導電材及び管状導電材が導電性プラスチックで作られている請求項２に記載の磁力流量計。
【請求項４】
流れ軸を備える導管を有するハウジングと、
前記導管の両側に直径方向に対向するよう配置されている一組の磁極と、
前記導管の両側に直径方向に対向するよう配置されている一組の電極と
を有する磁力流量計であって、前記一組の磁極は前記流れ軸とほぼ交差する第一の横軸上に一列に並んでおり、
前記電極は前記第一の横軸と前記流れ軸の両方とほぼ交差する第二の横軸上に一列に並んでおり、前記電極はポリエーテルエーテルケトン及びフルオロポリマ材料で構成されるグループから選択される少なくとも一つで形成される導電性プラスチック検出部材を有する磁力流量計。
【請求項５】
前記電極のそれぞれが保護された装置内に形成されており、前記装置は長手軸、中心導電材、管状導電材及び保護材を有し、それらは少なくとも一つの導電材料から作られており、且つ前記中心導電材は前記長手軸上に配置されるようにほぼ同心状に配置されており、前記管状部材は前記中心導電材及び前記保護材の間に配置されており、
前記中心導電材及び前記管状導電材は第一の間質防護材によって分離されており、
前記中心導電材及び前記管状導電材がシグナル増幅器に連結されるようになっており、前記保護材が電気接地に連結されるようになっている請求項４に記載の磁力流量計。
【請求項６】
前記導電性プラスチックが炭素粒子又は炭素繊維で充填されている請求項４に記載の磁力流量計。
【請求項７】
ハウジングと、
一組の磁極と、
一組の電極と
を有する磁力流量計であって、前記ハウジングは防護性で非汚染性の化学的に不活性な材料から作られており、前記ハウジングが内側部と、少なくとも一つの外側部と、そこを通る流体フロー用の導管とを有し、前記導管が流れ軸を有しており、
前記ハウジングは前記導管近くに形成された直径方向に対向する一組の底部ポートを有し、前記底部ポートは前記流れ軸にほぼ交差する第一の横軸上に一列に並んでおり、前記底部ポートのそれぞれが磁極を固定するように形成されており、
前記ハウジングは、そこ通って形成され、前記導管と流体連通する直径方向に対向する一組のスルーポートを有し、前記スルーポートは前記第一の横軸と前記長手軸との両方とほぼ交差する第二の横軸上に一列に並んでおり、前記スルーポートのそれぞれが電極を固定するように形成されており、
一組の磁極は一組の底部ポートそれぞれへと個別に挿入されるようになっており、
一組の電極は一組のスルーポートそれぞれへと個別に挿入されるようになっており、
前記外側部が前記一組の電極と前記一組の磁極とを囲むようになっている磁力流量計。
【請求項８】
前記磁極が磁力回帰経路によって接続されている電磁石を有し、前記ハウジングが前記磁力回帰経路を囲むようになっており、前記電極が導電性プラスチック検出材を有する請求項８に記載の磁力流量計。
【請求項９】
前記電極が炭素含浸ポリマ物質を有する請求項７に記載の磁力流量計。
【請求項１０】
防護性の材料が非汚染性ポリマで作られている請求項７に記載の磁力流量計。
【請求項１１】
ボディと、
少なくとも一つの外側部と
を有する磁力流量計用のハウジングであって、前記ボディは防護性で非汚染性の化学的に不活性な材料で作られており、前記ボディは内側部、少なくとも一つの外側部、及びそこを通る流体フロー用の導管を有し、前記導管が流れ軸を有しており、
前記ボディは一組の直径方向に対向するその中に形成された底部ポートを有し、前記底部ポートは前記導管の前記流れ軸とほぼ交差する第一の横軸上に並んで配置されており、前記第一の一組の底部ポートが一組の磁極を受容するようになっており、
前記ボディが、そこを通って作られており、前記導管にアクセスしている一組の直径方向に対向するスルーポートを有し、それは前記長手軸と前記第一の横軸との両方にほぼ交差する第二の横軸を形成しており、前記一組のスルーポートが一組の電極を受容するようになっており、
前記外側部が前記一組の底部ポートを覆うようになっているハウジング。
【請求項１２】
前記非汚染性材料が、ポリテトラフルオロエチレン（ＰＴＦＥ）、ポリビニリデンフルオライド（ＰＶＤＦ）、ポリエーテルエーテルケトン（ＰＥＥＫ）、ペルフルオロアルコキシ（ＰＦＡ）、及び他のフルオロカーボンポリマからなるグループから選択される請求項１１のハウジング。
【請求項１３】
前記第二の直径方向に対向する一組のスルーポートの前記第二の横軸が前記第一の直径方向に対向する一組のスルーポートの前記第一の横軸にほぼ垂直である請求項１１に記載のハウジング。
【請求項１４】
磁力流量計を用いて腐食性流体フロー回路内の化学的に腐食性である流体の流れを測定する方法であって、
前記流体フロー回路中の前記磁力流量計を接続する段階と、
磁場を作り出す段階と、
電位差を測定する段階と、
前記電位差を前記腐食性流体の流体フロー速度と相関させる段階と
を有し、前記磁力流量計が
防護性で非汚染性の化学的に不活性なハウジングであって、フロー断面と、そこを通る流体フロー用の導管を形成する前記フロー断面に垂直な長手軸とを有するハウジングと、
直径方向に相互に対向しており、前記防護性ハウジングの前記長手軸の対向する両側に配置されている一組の磁極と、
直径方向に相互に対向しており、前記防護性ハウジングの前記長手軸の対向する両側に配置されている一組の電極であって、フルオロポリマ材料でできている前記電極と
を有し、
前記磁場は前記長手軸を通っているため、前記電極間の電位差を含み、
電位差を測定する段階は、前記電極間の電位差を測定する方法。
【請求項１５】
防護性で非汚染性の化学的に不活性なハウジングと、
磁場を生じる手段と、
動電流を検出する手段と
を有する磁力流量計であって、前記ハウジングはそこを貫通して形成される導管を有し、前記導管は流れ軸を有し、
磁場は前記流れ軸にほぼ垂直であり、
動電流は前記流れ軸にほぼ垂直であり、前記流れ検出手段は流れの検出を最大にするために保護されているとともに、前記動電流を検出するように導電性材料で充填されたフルオロポリマ材料から作られている磁力流量計。
【発明の詳細な説明】
【技術分野】
【０００１】
発明の分野
本発明は、導管中の流量の監視及び測定に関連し、特に半導体産業において用いられる磁力流量計に関連する。
【０００２】
発明の背景
磁力流量計（「マグフローメータ（magflow  meter）」）の作動理論は生じる電圧のファラデーの法則に基づいており、動電力（ＥＭＦ）は磁場を通って流れる導電媒体の速度に比例して生じる。一般にマグフローメータの場合、流動媒体は、横向きの磁束を受けている導管の一部を通過した導電性媒体である。導電性流体が導管を通過することで、結果的に生じるＥＭＦが導管の壁部に設置されており媒体と物理的に接触している電極によって検出される。ＥＭＦの不足を防止するために、導管の壁部は非導電性材料によって構成されている。
【０００３】
マグフローメータは処理制御産業（化学、飲食物、パルプ及び紙、水処理）において用途が見出されている。なぜならば、それらは広範囲（一般に３０：１）にわたって低度の測定誤差（達成可能な測定の０．２％）であり、（タービンメータやパドルホイール技術と異なり）可動部や（他の圧力計と異なり）稼働するための流れの制限を必要としないからである。マグフローメータも同様に、適切な部位を通過するフローストリームの媒体のきつい化学薬品の有害な効果に耐えられるように、電極及び導管の壁部用の材料から形成することができる。
【０００４】
従来のデザインは、非導電性材料から作られた導管を利用することによって所望される電気的な隔離を提供した。電極は、先端が内壁と同一平面であるように設置される。他のデザインは金属の外部ハウジング内に非導電性の裏地で作られた導管であり、電極の先端がフローストリーム中に突出している導管を提供した。
【０００５】
様々な従来技術のデザインはある欠点を有しており、それはマグフローメータの全利益の実現を妨げることである。ほとんどのマグフローメータは金属のハウジング内にある誘電性の溝を利用している。金属のハウジングに誘電性の裏地を取り付けることは費用のかかる処理である。現在のマグフローメータは複雑なアッセンブリであり、それは電極及び電磁アッセンブリを設置するために、金属のハウジングに溶接されるため、若しくは取り付けるための金具を必要とする。更に、これらのアプローチは一般に金属電極の使用を教示するものの、それは他の産業における適用及び処理には適合しない。
【特許文献１】米国特許第５４４９０１７号明細書
【特許文献２】米国特許第５３１６０３５号明細書
【発明の開示】
【０００６】
発明の概要
磁力流量計の技術的な利点にもかかわらず、一般にそれらは半導体産業において用いられていないか、適用されていない。これは、産業界で共通して用いられている液体（ＨＣｌ及びＮＨ4ＯＨ等の酸及び塩基）及び気体の超純性と高腐食性が原因であると考えられる。純度は１０億分の１（「ＰＰＢ」）未満のレベルに維持されなければならない。純度をこのレベルに維持するために、腐食性の流体に接触する材料は腐食してはならないし、イオン性の混入物を生じてもいけない。それ故に、ＰＴＦＥ若しくはＰＦＡ（又は同属の他のポリマ）を例とする非金属性で非腐食性の湿潤材料から全てを作られた流量計が非常に好まれる。この要望が磁力流量計の使用を排除してきた。それは、液体と接触する電極はＥＭＦ信号を伝えることができなければならず、従って３１６ステンレス鋼、ハステロイ、又はプラチナ等の金属から通常は作られるからである。
【０００７】
加えて、マグフローメータは一般に大きく分厚い装置であり、小さなサイズ及び半導体産業の流量の要求に資さない。サイズの第一の要因は、処理産業において広範な圧力及び温度にわたって適切に機能するための要望であり、導管をセラミック等の高価な材料かＰＴＦＥ若しくはＰＦＡで裏打ちされた金属パイプのいずれかから作ることを余儀なくする。
【０００８】
以下の実施形態における発明は磁力流量計であり、流導管は金属の外部ハウジングを有さない防護用の非導電性材料で全体を構成されている。非導電性導管は流断面を有し、それは流断面に垂直な軸に沿って流れる流体を包含するぬれ縁を形成する。導管には一組の磁極が取り付けてあり、磁極は直径方向に対向するように流断面に位置している。磁極は第一の横軸を形成し、それは流れ軸とほぼ交差している。一組の電極も同様に導管の両側に設置されており、流れ軸と、磁極によって形成される第一の横軸との両方に交差する第二の横軸を形成する。電極はフローストリームの腐食性媒体に耐性である導電性ポリマ材料から作られている。電極は導管のぬれ縁を貫通することで、内部を流れている流体と接触する。
【０００９】
発明の様々な実施形態の利点は、導管が誘電性材料から作られており、金属の外部ハウジングを有さないために、費用と導管を裏打ちする複雑性とを低減できる。その上、導管が電極及び電磁アッセンブリを容易及び直接受容するように作られることで、さらに費用とアッセンブリの複雑性を低減できる。
【００１０】
発明の様々な実施形態の他の利点は、導電性ポリマ（又は可塑性）の電極が化学侵襲に対して耐性を有することである。米国特許第５４４９０１７号に開示されるように、導電性ポリマ（又は可塑性）の電極は、測定における特殊な媒体に適したポリマ材料、限定するのではないがＰＴＦＥ又はＰＦＡの混合物を含む、から作られるであろう。これらの電極は電極アッセンブリ中に形成されることで、バックグラウンドの電気ノイズを減少する。
【００１１】
発明の一面は、電磁流量計中の信号の減衰に関する問題を解決する。電極が電解性の流体（例えば水、酸又は塩基）に接触している時、流体と電極との間の電気的な接続は単純な抵抗ではない。むしろ、流体／電極の界面は複雑なインピーダンス（反応性の要素を有するインピーダンス）を生じる。それは、電極のサイズ及び材料と同様に接触している流体の導電性などのいくつかの物理的な性質又は要素の作用でもある。標準的な金属の電極を有すると、この複雑なインピーダンスは電気的接続手段の容量を有する分圧器を形成し、接続手段は電極を電子機器に接続する。従って、減衰した電圧は増幅器に供され、減衰は流体／電極の界面の複雑なインピーダンスに関与する接続手段の容量の作用である。分圧器の効果の優性は、小さな磁力流量計において特によくみられ、それは電極がコンパクトで、流体／電極の界面に高度に複雑なインピーダンスを有するからである。
【００１２】
発明の様々な実施形態の一つの他の利点は、電極防護回路（電極及びケーブル）を電気的に稼動する電極構造の利用であり、その結果、流体／電極の界面の複雑なインピーダンスに対して効果的なケーブルのインピーダンスを減少することによって、動電力のより正確な測定を提供することができる。
【００１３】
発明は、添付図面に関する発明の様々な実施形態の以下の詳細な説明を参考にすることでより完全に理解されるであろう。
【００１４】
発明は様々な改良及び代わりの形状に変更できるものの、それらの特徴は図面の実施例によって示されており、詳細に説明されるであろう。しかしながら、その意図は記載された特定の実施形態に発明を限定することではないことが理解されなければならない。反対に、その意図は添付の請求項によって規定される発明の精神及び範囲内に入る全ての改良物、同等物及び代替物を対象とすることである。
【００１５】
発明の詳細な説明
発明は一般に、半導体製造施設において腐食性化学流体の流速を測定するための装置及びシステムを対象とする。発明はそのような用途に限定される必要はなく、発明は特定の文中のような実施形態の考察を用いることでより適切になるであろう。
【００１６】
磁力流量計は導電性の液体の体積流量を測定するために用いられる。それらは生じる電圧のファラデーの法則を用いており、それは
emf∝Ｂ・Ｌ・Ｕ
によって表され、emfは動電力（ボルト）であり、Ｂは磁束密度（ガウス）であり、Ｌはemfが生じるのを横切る導電性液体を通るスパンの（spanwise）長さ又は厚み（例えばcm）であり、Ｕは測定される導電性液体の局所的な速度（例えばcm/sec）である。
【００１７】
図１を参照すると、従来式の磁力流量計１が描かれており、それは導管３を形成するハウジング２を含み、導管は、中心の流れ軸４及びぬれ縁５を有し、流れ軸４にほぼ平行に流れる流体の流れ６を包含する。一組の磁極７はそれらの間に磁界Ｂを生じるハウジング２の周囲に配置されている。一組の電極８はハウジング２の両側に設置されており、ぬれ縁５を貫通することで流体フロー６と接触している。電極８は動電流emfの検出用の読取装置９に接続されている。
【００１８】
ここで図２を参照すると、発明の磁力流量計１０の実施例が断面で示されている。計器１０は単一ボディのハウジング２０を含んでおり、それは、流体フロー４０を含むように作られている導管３０とぬれ縁３７とを形成する中空の円筒として表されている。磁極５０はハウジング２０の頂部及び底部に取り付けられている。ハウジング２０が誘電性材料で作られているため、各磁極５０はハウジング２０の壁内に形成されている底部ポート５２に取り付けられている。底部ポート５２はぬれ縁３７を貫通していないためそのように形成されているが、ハウジング２０内で終わっており、底部５７を形成する。底部ポート５２は流れ軸３５を通る第一の横軸９５に沿って並んでいる。
【００１９】
図２の実施形態も同様に、一組の電極７０が同一平面上に磁極５０に対して約９０度に位置するよう示している。それぞれの電極７０はハウジング２０及びぬれ縁３７を貫通するスルーポート７２に取り付けられることで、各スルーポート７２と導管３０との間の流体連通を作り出す。電極７０は、流れ軸３５と第一の横軸９５との両方に交差する第二の横軸１０５に沿って並んでいる。好ましくはあるものの、９０度の回転は磁力流量計にとって稼動するためには必要ない。図２の断面は磁場６０と、電極７０間で検出される動電流（「ＥＭＦ」）場９０との間の相関関係を示す。
【００２０】
電極７０も同様に、ＥＭＦ９０によって潜在的に生じる電圧を検出する読取装置８０に接続されている。読取装置８０は表示前に電圧を工学単位（例えばcm/sec）に変換するよう作られている。
【００２１】
図３Ａを参照すると、発明の他の実施形態が断面図で示されており、磁力流量計１０が防護性で非混入性の化学的に不活性な材料のマス（mass）又は胴部１１０から形成されている。ここで用いられる場合、「防護性」の用語はマス又は胴部１１０の材料の性質を指し、それは非導電性であり、且つ腐食性の化学流体フロー４０に対して化学的に耐性であり不活性であることの両方であり、それによって流体フロー４０を「隔絶」することができる。導管３０は防護性マス１１０を通って流れるよう作られる。一組の電磁コイル１３０がマス（又は胴部）１１０内に設置される。この形態においては、磁極５０は電磁コイル１３０によって稼動され、それは磁力回帰経路１００によって接続されている。同様に図３Ａも、電極７０が電極コネクタ１２０まで続くように示している。電極コネクタ１２０はそれぞれ器具のケーブル１２５に接続されており、ケーブルは次に読取装置８０に接続されている（図示しない）。
【００２２】
図３Ｂは発明の他の実施形態の等角投影図を表し、それは覆われて、周囲から保護されている。流路３０は防護性マス（又は胴部）１１０を貫通して形成されており、防護性マス１１０内に包含された様々な構成部材（磁極５０、電磁コイル１３０、保護電極７０及び磁力回帰経路１００）を有する。防護性マス１１０内に構成部材を収納することによって、構成部材は製造環境における一般的な操作から保護される。それは埃及び汚れ、メンテナンスの洗浄及びこぼれた薬品などである。製造の費用及び複雑性も著しく減少する。
【００２３】
図３Ｃを参照すると、発明の他の実施形態が示されており、それはハウジング２０Ｃの内側部１４０を含む。内側部１４０は外側部１５０Ａ及び１５０Ｂで囲まれている。この配置は電磁コイル１３０をハウジング２０Ｃ内に取り付けるのを可能にし、そして覆うことで周囲から保護している。
【００２４】
発明の類似形態が図３Ｄに示されている。この実施形態は二枚貝の配置に形成された外側部１５０Ａ及び１５０Ｂを示す。この実施形態においては、外側部１５０Ａ及び１５０Ｂが結合することで内側部１４０を取り囲んでいる。そして電極コネクタ１２０は電極７０に接続されることで密封シールを形成し、周囲から内側部部材を保護する。
【００２５】
図４Ａを参照すると、図３Ｃの実施例の側景が断面図で示されている。この図は流れ軸３５に沿って内側部１４０を貫通する流導管３０を表す。電極７０の端部７５は流導管３０のぬれ縁３７上にみられるであろう。端部７５が流体フロー４０と接触していることが認識されなければならない。
【００２６】
発明の他の関係する実施形態が図４Ｂに図示されている。それは中細の（convergent/divergent）流路１６０として形成されている導管３０を含む。この導管３０の形状が作用することで、流体フローが磁場６０を通過するときに流体フロー４０を圧縮し、結果的に流速Ｕが上昇する。生じた動電流がＵに対して比例するために、中細流路１６０が作用することでより大きな動電流９０を生じ、結果的に読取装置８０によって検出されるシグナルとノイズの比率が改善される。
【００２７】
ここで図５Ａ及び５Ｂを参照すると、従来式の電極アッセンブリ１６５が絵を用いて模式的に示されている。アッセンブリ１６５は、電気接続手段２１５を介して増幅器２５０の変換インプット２５３に接続されている中心導電材１９０を含む。増幅器２５０の非変換インプットは電気接地２３０に接続されている。中心導電材１９０はハウジング２及び誘電性の裏打ち１９３を貫通しており、防護スリーブ１９１によってハウジング２から電気的に隔離されている。中心導電材１９０は流体／導電材の界面１９８で電解性流体１９５（例えば水、酸又は塩基）と接触する。能動部材２０１と反応性部材２０２とを有する複雑なインピーダンス２００は、流体１９５と中心導電材１９０との間で増大する。複雑なインピーダンス２００は電気接続手段２１５のインピーダンスと共に分圧器を形成する。従って、不正確で減衰した電圧がシグナル増幅器２２０に呈される。この「分圧器効果」は、（透視したコンデンサによって図６に図示されている）接続手段２１５と複雑なインピーダンス２００との寄生容量２６０の作用である。分圧器効果の優位性は特に金属電極を有するコンパクトな磁力流量計においてよく見られる。それは、電極が小さく、それ故に界面１９８における複雑なインピーダンス２００が高いからである。同様にインピーダンス２００は、流体１９５の導電性、中心導電材１９０のサイズ、中心導電材１９０の材料を含むいくつかの物理性質の作用である。流体の導電性は流量に無関係に変化しやすいため、減衰はダイナミックであろう。
【００２８】
発明の電極アッセンブリ１６７の実施形態が図６に示されている。アッセンブリ１６５は電気的に防護された電極１７０を含む。電極１７０は長手軸１８０を有し、それは中心導電材１９０の配置に沿っている。中心導電材１９０は管状導電材２２５を有する同心配置中にある。中心導電材と管状導電材の両方は、電気接続手段２１５（２１５Ａ、２１５Ｂ）を介してシグナル増幅器２２０に接続されている。管状導電材２２５及び中心動電材１９０は第一の防護材２１０によって互いに隔離されている。保護材２４０は管状導電材２２５を同心的に取り囲んでいる。保護材２４０は電気接地２３０に接続されている。シグナル増幅器２２０の模式図は、中心導電材１９０に接続されている非変換インプット２５７と管状導電材２２５に接続されている変換インプット２５３とを有するオプアンプ（op  amp）を表している。ジャンパ接続２７０は変換インプット２５３をオプアンプのアウトプット２８０に接続する。図６の実施形態が作動することで、固有の容積２６０を低インピーダンスへと移行し、結果的に複雑なインピーダンス２００間の相互作用によって生じる動的なエラーを減少させる。
【００２９】
導電材１９０及び２２５は、米国特許第５３１６０３５号及び第５４４９０１７号、両者とも参照によって文献援用されている、に開示されているような導電性プラスチックから作られるであろう。ここで、「プラスチック」の用語は一般に、ポリマ、フルオロポリマ、又は他の誘電性材料を指し、それは磁力流量計の内部及び外部の両方における腐食性の外部環境の劣化効果に耐えるのに特に適した材料である。限定するのではないが、「プラスチック」の例には、ポリビニリデンフルオライド（ＰＶＤＦ）、ポリエーテルエーテルケトン（ＰＥＥＫ）、ペルフルオロアルコキシ（ＰＦＡ）、ポリテトラフルオロエチレン（ＰＴＦＥ）又は適した耐化学性の当業者に周知の他の材料が含まれる。この適用の参照が「導電性プラスチック」についてなされると、プラスチックは導電性材料の粒子又は繊維で満たされており、それはプラスチックに一体的に加えられ、全体に分散している。こうして充填されている導電性材料は、限定するのではないが、炭素若しくは鉄、又はその両者を含むであろう。そのようなプラスチックは、中心及び管状の導電性プラスチック検出部品１９０及び２２５と、保護部材２４０とに用いられるであろう。
【００３０】
ここまでで提示され詳細に考察された特殊な磁力流量計が十分に目的を達成でき、記載された利点を提供することができる一方で、それらは本発明の単なる説明であることが理解されなければならない。発明が実施可能であり、本開示中で提供される説明の範囲内である様々な他の改良や変更が当業者にとって容易に明らかとなるであろう。
【図面の簡単な説明】
【００３１】
【図１】従来式の磁力流量計の断面図である。
【図２】模式的な付属物を有するフローチャネルに垂直な発明の断面図である。
【図３Ａ】フローチャネルに垂直な発明の断面図である。
【図３Ｂ】発明の等角投影図である。
【図３Ｃ】フローチャネルに垂直な発明の断面図である。
【図３Ｄ】フローチャネルに垂直な発明の断面図である。
【図４Ａ】フローチャネル平面を通る発明の断面図である。
【図４Ｂ】フローチャネル平面を通る発明の断面図である。
【図５】従来式の電極アッセンブリの模式図である。
【図５Ａ】従来式の電極アッセンブリの模式図である。
【図５Ｂ】従来式の電極アッセンブリの模式図である。
【図６】本発明の電極アッセンブリの模式図である。
【図１】
2008530529.tif 000003
【図２】
2008530529.tif 000004
【図３Ａ】
2008530529.tif 000005
【図３Ｂ】
2008530529.tif 000006
【図３Ｃ】
2008530529.tif 000007
【図３Ｄ】
2008530529.tif 000008
【図４Ａ】
2008530529.tif 000009
【図４Ｂ】
2008530529.tif 000010
【図５Ａ】
2008530529.tif 000011
【図５Ｂ】
2008530529.tif 000012
【図６】
2008530529.tif 000013
【国際調査報告】
2008530529.tif 000014